(57)【要約】【課題】  重要な書類や緊急性のある書類を頻繁に送信する場合等には、通信が正常に終了しても、その後電話等を用いて、いちいち受信側オペレータに送信原稿の印刷出力の結果を確認しなければならないという煩わしさからオペレータを解放する。【解決手段】  通信制御部９は、図示しない送信先との交信により画像データの受信を制御し、印刷制御部７は、通信制御部９で受信した上記画像データを印刷出力させ、印刷完了フラグ５−３は、画像データの印刷完了を検出し、通信制御部９は、印刷完了フラグ５−３が印刷完了を検出するまで送信先との交信を継続する。【選択図】        図１
2008022220.tif 000002
【特許請求の範囲】
【請求項１】
送信先との交信により画像データの受信を制御する通信制御部と、
該通信制御部で受信した前記画像データを印刷出力させる印刷出力部と、
該印刷出力部による前記画像データの印刷完了を検出する印刷完了検出部とを備え、
前記通信制御部は、前記印刷完了検出部が前記画像データの印刷完了を検出するまで前記送信先との交信を継続することを特徴とするファクシミリ装置。
【請求項２】
前記印刷出力の可否を検知するエラー検知部を更に備え、
前記通信制御部は、
前記送信先から着信があると、前記エラー検知部の検知結果に基づいて前記印刷出力の可否を検知し、印刷出力否であると、前記送信先との交信を停止することを特徴とする請求項１に記載のファクシミリ装置。
【請求項３】
前記印刷出力の可否を検知するエラー検知部を更に備え、
前記通信制御部は、
前記画像データの受信中に、前記エラー検知部の検知結果が印刷出力否になると、前記送信先に通信エラーを通知し、通信切断すると共に、受信済みの画像データを無効とすることを特徴とする請求項１に記載のファクシミリ装置。
【請求項４】
前記印刷出力の可否を検知するエラー検知部を更に備え、
前記通信制御部は、
前記画像データの受信を終了し、前記画像データの印刷出力中に、前記エラー検知部の検知結果が印刷出力否になると、前記送信先に通信エラーを通知し、交信切断すると共に、受信済みの画像データを保持することを特徴とする請求項１に記載のファクシミリ装置。
【請求項５】
前記通信制御部は、
前記交信の継続が所定時間を越えると、前記送信先に交信終了を通知し、交信切断すると共に、受信済みの画像データを保持させることを特徴とする請求項１に記載のファクシミリ装置。
【請求項６】
前記所定時間の延長手段を更に備えることを特徴とする請求項５に記載のファクシミリ装置。
【請求項７】
前記延長手段は、前記送信先へ送信されるプリアンブル信号の送信であることを特徴とする請求項６に記載のファクシミリ装置。
【請求項８】
前記延長手段は、前記送信先とのＲＮＲ信号及びＲＲ信号の交信繰り返しであることを特徴とする請求項６に記載のファクシミリ装置。
【発明の詳細な説明】
【技術分野】
【０００１】
本発明は、印刷装置にページプリンタを有するファクシミリ装置に関し、特に受信時の通信動作と印刷動作の同期処理に関するものである。
【背景技術】
【０００２】
従来、印刷装置にページプリンタを有する複合機やファクシミリ装置の通信制御と印刷制御では、符号化された画像データが受信され、画像メモリに格納されると同時に、その画像データが復号化され、少なくとも１ページ分の非圧縮イメージデータとしてページメモリに格納される。このデータがページプリンタに転送され印刷される。このため、通信制御では、伝送スピードに従って受信された枚数分の画像データが、順次画像メモリに蓄積される。一方、印刷制御では、１ページ分のイメージデータが準備された時点でページプリンタによる印刷の起動が行われる。従って、例えばデータ量の少ない原稿が受信された場合には、その印刷起動が開始されるより前に通信そのものが完了する場合がある。即ち、通信制御と印刷制御は全くの非同期で処理が進行されている。
【特許文献１】特開平０５−１５５６９号公報
【発明の開示】
【発明が解決しようとする課題】
【０００３】
しかしながら、上記従来の制御では、通信制御と印刷制御が非同期で行われるため、受信そのものは終了しているが印刷処理が未だ開始されない場合も発生し得る。例えば、受信が正常に終了しても、その後の印刷処理で用紙ジャムなどのエラーが発生し、正常に印刷出力できない場合等が該当する。
【０００４】
つまり、送信機側のオペレータは、通信が正常に終了したので受信機側での印刷も正常に出力され、受信側オペレータがその送信原稿の印刷結果を確認できているものと期待している。ところが、実際には上記のように印刷出力されずに画像メモリに蓄積されている場合が起こり得る。従って、例えば重要な書類や緊急性のある書類を頻繁に送信する場合等には、通信が正常に終了しても、その後電話等を用いて、いちいち受信側オペレータに送信原稿の印刷出力の結果を確認しなければならないという煩わしい問題があった。
【課題を解決するための手段】
【０００５】
本発明によるファクシミリ装置は、送信先との交信により画像データの受信を制御する通信制御部と、該通信制御部で受信した上記画像データを印刷出力させる印刷出力部と、該印刷出力部による上記画像データの印刷完了を検出する印刷完了検出部とを備え、上記通信制御部は、上記印刷完了検出部が上記画像データの印刷完了を検出するまで上記送信先との交信を継続することを主要な特徴とする。
【発明の効果】
【０００６】
本発明によるファクシミリ装置は、画像データの印刷完了を検出する印刷完了検出部を備え、通信制御部は、上記印刷完了検出部が画像データの印刷完了を検出するまで送信先との交信を継続するので、交信終了時には、印刷は完了していることが保証される。従って、例えば重要な書類や緊急性のある書類を頻繁に送信する場合等に於いて、交信が正常に終了しても、その後電話等を用いて、受信側オペレータに送信原稿の印刷出力の結果を確認しなければならないという煩わしい問題が回避出来るという効果を得る。
【発明を実施するための最良の形態】
【０００７】
本発明による複合機は以下のように構成される。
【実施例１】
【０００８】
図１は、実施例１のファクシミリ装置の構成を示すブロック図である。
図に示すように、実施例１のファクシミリ装置１００は、Ｉ／Ｆ制御部２と、ＣＰＵ３と、ＦＬＡＳＨメモリあるいはＲＯＭ（リード・オンりー・メモリ）４と、ＦＬＡＳＨメモリあるいはＲＡＭ（ランダム・アクセス・メモリ）５と、オペレーション制御部６と、印刷制御部７と、読取制御部８と、通信制御部（ｎｏｎＥＣＭ）９と、画像編集部（復号化処理）１０と、ＬＣＤ１１と、各種キー１２と、Ｉ／Ｏ１３と、各種センサ１４とを備える。
【０００９】
Ｉ／Ｆ制御部２は、ホストコンピュータ１とファクシミリ装置１００とを通信接続するインタフェースの役目を分担する部分である。ＣＰＵ３は、ＦＬＡＳＨメモリあるいはＲＯＭ（リード・オンりー・メモリ）４に格納されている所定の制御プログラムを実行することによって装置全体を制御するマイクロプロセッサである。ＦＬＡＳＨメモリあるいはＲＯＭ（リード・オンりー・メモリ）４は、ＣＰＵ３が実行することによって、装置全体を制御する制御プログラムを予め格納するリード・オンリー・メモリである。
【００１０】
ＦＬＡＳＨメモリあるいはＲＡＭ（ランダム・アクセス・メモリ）５は、その内部に画像蓄積メモリ５−１と、ページメモリ５−２と、印刷完了フラグ５−３と、プリアンブル送出タイマ５−４を有し、ＣＰＵ３が演算処理を実行する中で必要になる演算領域を提供するランダム・アクセス・メモリである。ここで画像蓄積メモリ５−１は、画像データを一時蓄積するバッファメモリである。ページメモリ５−２は、１ページ分の画像データを格納するメモリである。印刷完了フラグ５−３は、印刷の完了を示すフラグである。プリアンブル送出タイマは、３００ｂｐｓの伝送スピードでモデムから出力されるプリアンブルの送出時間を決定するタイマである。
【００１１】
オペレーション制御部６は、ＬＣＤ１１と、各種キー１２とを有し、オペレータ操作を制御する部分である。印刷制御部７は、格納された画像データの帯電⇒露光⇒現像⇒転写の各プロセスを制御する部分である（後に他の図を用いて再度詳細に説明する。）。読取制御部８は、読取原稿の読取を制御する部分である。通信制御部（ｎｏｎＥＣＭ）は、図示しない公衆回線（ＰＳＴＮ等を介して）を介して画像データ（ファクシミリデータ）の送受信、即ち、ホストコンピュータ１とＩ／Ｆ制御部２との物理的階層のインタフェースによる送受信、あるいはＰＳＴＮ回線等によりｎｏｎＥＣＭ（Ｅｒｒｏｒ  Ｃｏｒｒｅｃｔｉｏｎ  Ｍｏｄｅでない通信モード）を制御する部分である。
【００１２】
画像編集部（復号化処理）１０は、ＦＬＡＳＨあるいはＲＡＭ（ランダム・アクセス・メモリ）５の画像蓄積メモリ５−１に格納されている画像データを復号化処理する部分である。ＬＣＤ１１は、オペレーション制御部６の制御に基づいて、オペレータに表示ガイダンス等を表示して装置とオペレータとのマンマシンインタフェースの役割を分担する部分である。各種キー１２は、オペレータがキー操作によってオペレータの意向を装置に入力し、装置とオペレータとのマンマシンインタフェースの役割を分担する部分である。Ｉ／Ｏ（入出力）は、装置の入出力ポートである。各種センサ１４は、装置内各部分の状態（例えば用紙ジャム等）を検出し、ＣＰＵ３へ通知するセンサである。
【００１３】
図２は、本発明における現像装置の断面図である。
この図は、上記印刷制御部７（図１）によって帯電⇒露光⇒現像⇒転写の各プロセスを経過して実行される印刷制御の概要を説明するための図である。感光体ドラム２２の表面に帯電ローラ２１によってマイナス電荷が与えられる。図示しないＬＥＤが行う露光プロセスによって感光体ドラム２２の表面に表面電位を下げる静電潜像が形成される。攪拌シャフト２６の回転によってトナー３０がスポンジローラ２７、及び現像ブレードを介して現像ローラ２８へ送られる。現像ローラ２８、及び現像ブレード（図２−３）との摩擦によって帯電した、現像ローラ２８上のトナー３０は、現像電位と感光体ドラム表面電位との差によって生じた電界中のクローン力によって感光体ドラム２２に移動し静電潜像が現像される。この感光体ドラム２２上に付着されたトナー３０は、用紙裏面からのプラス電位によって用紙上に転写され画像が形成される。
【００１４】
以上説明した実施例１のファクシミリ装置１００は、以下のように動作する。ここでは主に受信動作について説明する。
図３は、実施例１のファクシミリ受信の着信モード設定のフローチャートである。
ステップＳ１−１
通信制御部９（図１）は、装置設定が発信側からの着呼に対してファクシミリ自動受信を行うか否かを判別し、自動着信モードの場合にはステップＳ１−２へ進み、そうでない場合にはフローを終了する。自動着信モードであれば、通常、用紙に出力できない状態、例えば用紙無しの状態であっても、受信された画像データを画像蓄積メモリ５−１（図１）に一旦格納することができるため、画像蓄積メモリ５−１の使用量に依って画像データを受信し、その後オペレータによって用紙が補給されると画像蓄積メモリ５−１から印刷制御部７（図１）によって印刷出力される。
【００１５】
ステップＳ１−２
印刷制御部７（図１）は、印刷系アラーム（用紙なし、用紙ジャム、用紙サイズエラー、メモリフル等）であるか否か、即ち、現在の装置状態が、ファクシミリ受信時に、受信した画像データを用紙に印刷出力することができる状態であるか否かを判別し、印刷系アラームの場合にはステップＳ１−４へ進み、そうでない場合にはステップＳ１−３へ進む。
【００１６】
ステップＳ１−３
印刷完了通知モードの場合はステップＳ１−７へ進み、そうでない場合にはステップＳ１−６へ進む。
【００１７】
ステップＳ１−４
通信制御部９（図１）は、印刷完了通知モードであるか否かを判断し、印刷完了通知モードである場合にはステップＳ１−５へ進み、そうで無い場合にはステップＳ１−６へ進む。尚、本モードはメニューで設定可能である、または送信側から送信データにより指定可能であってもよい。
【００１８】
ステップＳ１−５
通信制御部９（図１）は、装置が印刷できない状態のアラームが発生していた場合には、着信不可モードに装置を設定する。
【００１９】
ステップＳ１−６
通信制御部９（図１）は、メモリ受信モードに設定してフローを終了する。メモリ受信モードとは、受信した画像データを一旦全て画像蓄積メモリ５−１（図１）に格納し、その後その画像蓄積メモリ５−１（図１）からデータを復号化しながらページメモリ５−２（図１）にイメージデータとして格納し、印刷制御部７（図１）がページプリンタを介して印刷出力させるモードである。また、受信の終了と共に通信を切るモードである。
【００２０】
ステップＳ１−７
通信制御部９（図１）は、記録紙受信モードに設定する。記録紙受信モードとは、受信した画像データを画像蓄積メモリ５−１（図１）に格納しながら、並行してそのデータを復号化し、ページメモリ５−２（図１）にイメージデータとして格納し、印刷制御部７（図１）がページプリンタを介して印刷出力させることである。また、受信が終了すると印刷の終了まで通信を引き延ばし印刷の終了後通信を切るモードである。
【００２１】
図４は、実施例１の記録紙受信モードにおけるフェーズＡ、Ｂ中の印刷系アラーム検知フローチャートである。
フェーズＡとは呼の設定及び回線確立のシーケンスである。フェーズＢとはファクシミリ手順の前手順の過程で、端末、伝送路などの状態確認及び端末制御のためのファクシミリ伝送の準備を行うシーケンスである。尚、ここでは本発明の目的と異なるファクシミリ手順そのものの説明や、信号名の説明などは割愛する。また、単葉手順や複葉手順、正常手順や異常手順など、組み合わせは複雑であるため、単葉・正常手順として説明する。
【００２２】
ステップＳ１−１１
通信制御部９は、着信を待って待機し、着信があったと判定した場合にステップＳ１−１２へ進む。
【００２３】
ステップＳ１−１２
通信制御部９（図１）は、ＣＥＤ信号を公衆回線（ＰＳＴＮ）を介して送信側へ送出する。
【００２４】
ステップＳ１−１３
通信制御部９（図１）は、公衆回線（ＰＳＴＮ）を介して送信側へ（ＮＳＦ／ＤＩＳ／ＣＳＩ）信号を送出する。
【００２５】
ステップＳ１−１４
通信制御部９（図１）は、公衆回線（ＰＳＴＮ）を介して送信側から（ＮＳＳ／ＴＳＩ／ＤＣＳ）信号を受信する。
【００２６】
ステップＳ１−１５
通信制御部９（図１）は、印刷制御部７（図１）を介して、装置状態が印刷出力可能かどうかを判定し、印刷出力が出来ない状態（印刷系アラーム発生）で有ればステップＳ１−１６へ進み。そうでない場合にはステップＳ１−１８へ進む。
【００２７】
ステップＳ１−１６
通信制御部９（図１）は、画像蓄積メモリ５−１（図１）の使用量に依存することなく、公衆回線（ＰＳＴＮ）を介して送信側へＤＣＮ信号を送出し、送信側にエラーを通知して送信側との回線の切断処理を行う。
【００２８】
ステップＳ１−１７
通信制御部９（図１）は、当該通信をエラー終了させて、フローを終了させる。
【００２９】
ステップＳ１−１８
通信制御部９（図１）は、公衆回線（ＰＳＴＮ）を介して送信側からトレーニング／ＴＣＦ信号の受信を行う。
【００３０】
ステップＳ１−１９
通信制御部９（図１）は、再度ここでステップＳ１−１５と同様に印刷系アラームの確認を行い、印刷出力が出来ない状態であれば、ステップＳ１−１６へ移行し、印刷出力可能であれば、ステップＳ１−２０へ進む。
【００３１】
ステップＳ１−２０
通信制御部９（図１）は、公衆回線（ＰＳＴＮ）を介して送信側へＣＦＲ信号を送出し、次フェーズであるフェーズＣへ移行する。
【００３２】
図５は、実施例１の記録紙受信モードにおけるフェーズＣ中の印刷系アラーム検知フローチャートである。
この図は、自社機間のｎｏｎＥＣＭ（Ｅｒｒｏｒ  Ｃｏｒｒｅｃｔｉｏｎ  Ｍｏｄｅでない通信モード）のファクシミリ受信の伝送フェーズである、フェーズＣ中の印刷系アラームを検知した場合のフローチャートである、フェーズＣとは、メッセージ伝送のためのフェーズである。
【００３３】
ステップＳ１−２１
通信制御部９（図１）は、送信側から公衆回線（ＰＳＴＮ）を介して画像データの受信を行う。
【００３４】
ステップＳ１−２２
通信制御部９（図１）は、画像データの受信が完了したか否かを判別し、完了した場合にはフェーズＤへ移行し、完了していない場合にはステップＳ１−２３へ進む。
【００３５】
ステップＳ１−２３
印刷制御部７（図１）は、印刷アラーム検知にて、装置状態が印刷出力可能かどうかを判別し、印刷出力可能の場合にはステップＳ１−２１へ進み、印刷出力不可能の場合にはステップＳ１−２４へ進む。ステップＳ１−２１〜ステップＳ１−２３を回っている間も、並行して印刷処理は行われている。即ち、１ページ分の印刷データの編集処理が終了すれば印刷が開始される。
【００３６】
ステップＳ１−２４
通信制御部９（図１）は、アラーム検知後のフェーズＣ終了までの時間を監視するためのプリアンブル送出タイマ５−４（図１）を起動する。
【００３７】
ステップＳ１−２５
上記ステップＳ１−２４で設定された時間を経過した場合にはステップＳ１−２７へ進み、経過前であればステップＳ１−２６へ進む。
【００３８】
ステップＳ１−２６
通信制御部９（図１）は、送信側からのポストコマンド（この場合はＥＯＰ信号）を受信出来れば、ステップＳ１−２７へ進み、受信出来なければステップＳ１−２５へ戻る。
【００３９】
ステップＳ１−２７
そのコマンドの応答として、通信制御部９（図１）は、公衆回線（ＰＳＴＮ）を介してＤＣＮ信号を送出する。
【００４０】
ステップＳ１−２８
印刷制御部７（図１）は、画像編集部１０（図１）を介して、画像蓄積メモリ５−１（図１）に蓄積された分の画像データを全て破棄する。
【００４１】
ステップＳ１−２９
通信制御部９（図１）は、通信をエラー終了させる。
【００４２】
図６は、実施例１の記録紙受信モードにおけるフェーズＤ中の印刷系アラーム検知フローチャートである。
この図は自社機間のｎｏｎＥＣＭ（Ｅｒｒｏｒ  Ｃｏｒｒｅｃｔｉｏｎ  Ｍｏｄｅでない通信モード）のフェーズＤのフローチャートである。フェーズＤとは、メッセージ終了と受信確認などを行う過程である。
【００４３】
ステップＳ１−３１
フェーズＣによる画像データの受信が完了し、通信制御部９（図１）が、ポストコマンド（この場合ＥＯＰ信号）を受信するとステップＳ１−３２へ進む。
【００４４】
ステップＳ１−３２
通信制御部９（図１）は、ポストコマンドに対する応答信号であるＭＣＦ信号のプリアンブル（３００ｂｐｓのフラグ連送）送出タイマ５−４（図１）をスタートさせる（３分間）。
【００４５】
ステップＳ１−３３
通信制御部９（図１）によってプリアンブル連送が開始される。このプリアンブル連送の機能については、本フローチャートに続いて他の図（同期シーケンス）を用いて詳細に説明する。
【００４６】
ステップＳ１−３４
印刷完了フラグ５−３（図１）を介して印刷出力が完了すればステップＳ１−３５へ進み、完了前であればステップＳ１−４０へ進む。
【００４７】
ステップＳ１−３５
印刷制御部７（図１）は、画像編集部１０（図１）を介して画像蓄積メモリ５−１（図１）に蓄積された分の画像データを全て破棄する。
【００４８】
ステップＳ１−３６
通信制御部９（図１）は、プリアンブル送出を停止する。
【００４９】
ステップＳ１−３７
通信制御部９（図１）は、応答コマンド（ＭＣＦ信号）を送信機側へ送信する。
【００５０】
ステップＳ１−３８
通信制御部９（図１）は、送信機側からのＤＣＮ信号を受信し、回線の切断を行う。
【００５１】
ステップＳ１−３９
通信制御部９（図１）は、通信を正常終了させる。
【００５２】
ステップＳ１−４０
プリアンブル送出のタイマがタイムアウト（３分）した場合はステップＳ１−４１へ進み、タイムアウト前であればステップＳ１−４２へ進む。ここでは、３分以上に引延ばし出来ないものとする。
【００５３】
ステップＳ１−４１
画像データを保持させた上で、ステップＳ１−３６からステップＳ１−３９の処理を実行してフローを終了する。この場合、画像データは保持されているため、印刷出力が可能となる。
【００５４】
ステップＳ１−４２
印刷出力不可の状態が検知された場合にはステップＳ１−４３へ進み、検知されない場合にはステップＳ１−３３へ戻る。
【００５５】
ステップＳ１−４３
画像データを画像蓄積メモリ５−１（図１）に保持する。
【００５６】
ステップＳ１−４４
通信制御部９（図１）は、プリアンブル送出を停止する。
【００５７】
ステップＳ１−４５
通信制御部９（図１）は、ＤＣＮ信号を送信し、回線の切断を行う。
【００５８】
ステップＳ１−４６
通信制御部９（図１）は、通信をエラー終了させる。この場合、アラームが解除されれば、画像データの印刷が可能である。
【００５９】
続いて上記ステップＳ１−３３に於いて実行されるプリアンブルの連送機能について補足説明を行う。
図７は、実施例１に於ける受信動作と印刷動作の同期シーケンスである。
図に於いて、Ｙ軸方向に時間経過を示し、Ｘ軸方向に各データ処理プロセス（モデム、画像蓄積メモリ、復号化、復号化データ蓄積（ページメモリ）、印刷）を示している。
【００６０】
図に示すように、画データ受信、画データ蓄積、画データ復号化、イメージデータ蓄積の各プロセスは、順次並行して進行している。しかしながらイメージデータ印刷プロセスのみ、イメージデータ蓄積が１ページ全てが終了した後開始される。これはページプリンタの特徴であり、このため受信の終了と印刷の終了の時間のずれが大きくなってしまう。そのため、受信の終了＝印刷の終了とならず、正常に印刷出力がされたか否かを確認できなかった。この弊害を解消するために、上記ステップＳ１−３３に於いて、プリアンブルを連送し、従来点線箇所で出力されていたＭＣＦ信号、及びＤＣＮ信号を遅延させている（引延ばし手順）。
【００６１】
再度タイムチャートを用いて説明する。
図８は、実施例１の比較例（従来例）の印刷中の印刷系アラーム発生のイメージ図である。
図９は、実施例１のフェーズＤの手順引延ばしによる印刷完了待ちのイメージ図である。
図１０は、実施例１のフェーズＤの手順引延ばしによる印刷完了待ち中印刷系アラーム発生のイメージ図である。
【００６２】
図８に示すように比較例（従来例）では通信が全て終了しても（通信ＯＫ）まだイメージデータの印刷は終了していないので、印刷系アラーム発生によって一部印刷出力されない場合が発生し得る。
【００６３】
図９に示すように本実施例では、プリアンブル送信が挿入されるので、印刷が全て終了する時点（通信ＯＫ）では、通信が完了する。従って、送信側のオペレータは、通信ＯＫによって受信側で確実に印刷出力されたことが確認できる。又、図１０に示すように、最後のページで印刷系アラームが発生した場合には、通信エラー（通信ＮＧ）が通知されるので、送信側のオペレータは、エラーの発生を認識することが出来る。
【００６４】
以上説明したように、本実施例によれば、ファクシミリ装置は、画像データの印刷完了を検出する印刷制御部（印刷完了フラグを含む）を備え、通信制御部は、上記印刷制御部が画像データの印刷完了を検出するまで送信先との交信を継続するので、交信終了時には、印刷は完了していることが保証される。従って、例えば重要な書類や緊急性のある書類を頻繁に送信する場合等に於いて、通信が正常に終了しても、その後電話等を用いて、受信側オペレータに送信原稿の印刷出力の結果を確認しなければならないという煩わしい問題が回避出来るという効果を得る。また、ファクシミリ伝送フェーズの各フェーズで装置アラーム状態を監視し、アラームを検知した場合には直ぐに回線切断の処理を行うようにしたので、送信機側との余分な交信の継続を回避することが出来るという効果を得る。更に、自社機間のｎｏｎＥＣＭ通信モードでは、フェーズＤにおける送信側からのポストコマンドの応答コマンドの送出前に、プリアンブルの連送を行うこととしたので、送信機との手順の引延しが可能になるという効果を得る。
【実施例２】
【００６５】
図１１は、実施例２のファクシミリ装置の構成を示すブロック図である。
図に示すように、実施例２のファクシミリ装置は、Ｉ／Ｆ制御部２と、ＣＰＵ３と、ＦＬＡＳＨメモリあるいはＲＯＭ（リード・オンりー・メモリ）４と、ＦＬＡＳＨメモリあるいはＲＡＭ（ランダム・アクセス・メモリ）２５と、オペレーション制御部６と、印刷制御部７と、読取制御部８と、通信制御部（ＥＣＭ）１９と、画像編集部（復号化処理）１０と、ＬＣＤ１１と、各種キー１２と、Ｉ／Ｏ１３と、各種センサ１４とを備える。以下に実施例１との相違部分のみについて詳細に説明する。
【００６６】
通信制御部（ＥＣＭ）１９は、図示しない公衆回線（ＰＳＴＮ等を介して）画像データ（ファクシミリデータ）の送受信、即ち、ホストコンピュータ１とＩ／Ｆ制御部２との物理的階層のインタフェースによる送受信、あるいはＰＳＴＮ回線等によりＥＣＭ（Ｅｒｒｏｒ  Ｃｏｒｒｅｃｔｉｏｎ  Ｍｏｄｅ  通信モード）を制御する部分である。
【００６７】
ＦＬＡＳＨメモリあるいはＲＡＭ（ランダム・アクセス・メモリ）２５は、その内部に画像蓄積メモリ５−１と、ページメモリ５−２と、印刷完了フラグ５−３と、プリアンブル送出タイマ５−４を有し、ＣＰＵ３が演算処理を実行する中で必要になる演算領域を提供するランダム・アクセス・メモリである。ここで画像蓄積メモリ５−１は、画像データを一時蓄積するバッファメモリである。ページメモリ５−２は、１ページ分の画像データを格納するメモリである。印刷完了フラグ５−３は、印刷の完了を示すフラグである。この部分は、実施例１のＦＬＡＳＨメモリあるいはＲＡＭ（ランダム・アクセス・メモリ）５からプリアンブル送出タイマ５−４が削除されている。
【００６８】
以上説明した実施例２のファクシミリ装置２００は、以下のように動作する。ここでは主に受信動作について説明する。
図１２は、実施例２の記録紙受信モードにおけるフェーズＤ中の印刷系アラーム検知フローチャートである。
この図は自社機間のＥＣＭ（Ｅｒｒｏｒ  Ｃｏｒｒｅｃｔｉｏｎ  Ｍｏｄｅ  通信モード）のフェーズＤのフローチャートである。フェーズＤとは、メッセージ終了と受信確認などを行う過程である。
【００６９】
ステップＳ２−１
フェーズＣによる画像データの受信が完了し、通信制御部１９（図１１）が、ポストコマンド（この場合ＥＯＰ信号）を受信するとステップＳ２−２へ進む。
【００７０】
ステップＳ２−２
印刷完了フラグ５−３（図１１）を介して、印刷出力が完了すればステップＳ２−３へ進み、完了前であればステップＳ２−７へ進む。
ステップＳ２−３
印刷制御部７（図１１）は、画像編集部１０（図１１）を介して画像蓄積メモリ５−１（図１１）に蓄積された分の画像データを全て破棄する。
【００７１】
ステップＳ２−４
通信制御部１９（図１１）は、応答コマンド（ＭＣＦ信号）を送信機側へ送信する。
【００７２】
ステップＳ２−５
通信制御部１９（図１１）は、送信機側からのＤＣＮ信号を受信し、回線の切断を行う。
【００７３】
ステップＳ２−６
通信制御部１９（図１１）は、通信を正常終了させる。
【００７４】
ステップＳ２−７
通信制御部１９（図１１）は、送信機側へＲＮＲ信号を送信する。
【００７５】
ステップＳ２−８
通信制御部１９（図１１）が送信機側からＲＲ信号を受信した場合にはステップＳ２−９へ進み、受信しない場合にはステップＳ２−１０へ進む。
【００７６】
ステップＳ２−９
印刷出力不可の状態が検知された場合にはステップＳ２−１０へ進み、検知されない場合にはステップＳ２−２へ戻る。
【００７７】
ステップＳ２−１０
画像データを画像蓄積メモリ５−１（図１１）に保持する。
【００７８】
ステップＳ２−１１
通信制御部１９（図１１）は、ＤＣＮ信号を送信し、回線の切断を行う。
【００７９】
ステップＳ２−１２
通信制御部１９（図１１）は、通信をエラー終了させる。
【００８０】
タイムチャートを用いて説明する。
図１３は、実施例２の比較例（従来例）の印刷中の印刷系アラーム発生のイメージ図である。
図１４は、実施例２のフェーズＤの手順引延ばしによる印刷完了待ちのイメージ図である。
図１５は、実施例２のフェーズＤの手順引延ばしによる印刷完了待ち中印刷系アラーム発生のイメージ図である。
【００８１】
図１３に示すように比較例（従来例）では通信が全て終了しても（通信ＯＫ）まだイメージデータの印刷は終了していないので、印刷系アラーム発生によって一部印刷出力されない場合が発生し得る。
【００８２】
図１４に示すように本実施例では、ＲＮＲ信号の送信が連送されるので、印刷が全て終了する時点（通信ＯＫ）まで、送信機との手順の引延ばしが容易に可能になる。従って、送信側のオペレータは、通信ＯＫによって受信側で確実に印刷出力されたことが確認できる。又、図１５に示すように、最後のページで印刷系アラームが発生した場合には、通信エラー（通信ＮＧ）が通知されるので、送信側のオペレータは、エラーの発生を認識することが出来る。
【００８３】
以上説明したように、本実施例によれば、送信機が自社機、他社機に関係無く、ＥＣＭ通信モードでは、フェーズＤにおける送信側からのポストコマンドの応答コマンドとしてＲＮＲ信号の送出を行い、送信機との手順の引延しによって印刷が完了するまでの同期制御を実施できるという効果を得る。ただし、手順の引延し時間管理は受信側ではなく、送信機側に委ねられる。なお、フェーズＤ以外の動作は第１の実施例と同様である。現在はほとんどのファクシミリにＥＣＭモードがサポートされるようになったため、自社機、他社機の制約無しに、より広範囲で送信側のオペレータが、通信の正常終了を、送信した原稿が受信側で確実に印刷出力できたことと認識できるという効果を得る。
【産業上の利用可能性】
【００８４】
上記実施例では、本発明をファクシミリ装置に適用した例に限定して説明したが、本発明はこの例に限定されるものでは無い。即ち、複写機、複合機などに適用される。
【図面の簡単な説明】
【００８５】
【図１】実施例１のファクシミリ装置の構成を示すブロック図である。
【図２】本発明における現像装置の断面図である。
【図３】実施例１のファクシミリ受信の着信モード設定のフローチャートである。
【図４】実施例１の記録紙受信モードにおけるフェーズＡ、Ｂ中の印刷系アラーム検知フローチャートである。
【図５】実施例１の記録紙受信モードにおけるフェーズＣ中の印刷系アラーム検知フローチャートである。
【図６】実施例１の記録紙受信モードにおけるフェーズＤ中の印刷系アラーム検知フローチャートである。
【図７】実施例１に於ける受信動作と印刷動作の同期シーケンスである。である。
【図８】実施例１の比較例（従来例）の印刷中の印刷系アラーム発生のイメージ図である。
【図９】実施例１のフェーズＤの手順引延ばしによる印刷完了待ちのイメージ図である。
【図１０】実施例１のフェーズＤの手順引延ばしによる印刷完了待ち中印刷系アラーム発生のイメージ図である。
【図１１】実施例２のファクシミリ装置の構成を示すブロック図である。
【図１２】実施例２の記録紙受信モードにおけるフェーズＤ中の印刷系アラーム検知フローチャートである。
【図１３】実施例２の比較例（従来例）の印刷中の印刷系アラーム発生のイメージ図である。
【図１４】実施例２のフェーズＤの手順引延ばしによる印刷完了待ちのイメージ図である。
【図１５】実施例２のフェーズＤの手順引延ばしによる印刷完了待ち中印刷系アラーム発生のイメージ図である。
【符号の説明】
【００８６】
１    ホストコンピュータ
２    Ｉ／Ｆ制御部
３    ＣＰＵ
４    ＦＬＡＳＨメモリあるいはＲＯＭ
５    ＦＬＡＳＨメモリあるいはＲＡＭ
６    オペレーション制御部
７    印刷制御部
８    読取制御部
９    通信制御部
１０    画像編集部
１１    ＬＣＤ
１２    各種キー
１３    Ｉ／Ｏ
１４    各種センサ
１００    ファクシミリ装置
【図１】
2008022220.tif 000003
【図２】
2008022220.tif 000004
【図３】
2008022220.tif 000005
【図４】
2008022220.tif 000006
【図５】
2008022220.tif 000007
【図６】
2008022220.tif 000008
【図７】
2008022220.tif 000009
【図８】
2008022220.tif 000010
【図９】
2008022220.tif 000011
【図１０】
2008022220.tif 000012
【図１１】
2008022220.tif 000013
【図１２】
2008022220.tif 000014
【図１３】
2008022220.tif 000015
【図１４】
2008022220.tif 000016
【図１５】
2008022220.tif 000017